(57)【要約】【課題】透光性（光透過性）を有した合成樹脂製遊技盤を備えたパチンコ遊技機において、低コストで装飾体を遊技盤の後面側に設けることが可能なパチンコ遊技機を提供する。【解決手段】遊技盤本体７０が、透光性を有する合成樹脂で形成されることにより遊技盤本体７０の後方を視認可能に構成され、遊技盤本体７０の後面側に、遊技盤本体７０の厚さの不足分を補うことにより遊技盤本体７０を遊技盤取付枠に取着可能とするスペーサ７４が、取り外し可能に取着され、平面的または立体的に形成された印刷シート７３が、その平面状部分を遊技盤本体７０とスペーサ７４との間に挟持させることにより、遊技盤本体７０の後面側に設けられているパチンコ遊技機。【選択図】図３
2011087622.tif 000002
【特許請求の範囲】
【請求項１】
遊技球が打ち込まれる遊技領域が前面に形成される遊技盤本体を備えたパチンコ遊技機において、
前記遊技盤本体が、透光性を有する合成樹脂で形成されることにより前記遊技盤本体の後方を視認可能に構成され、
前記遊技盤本体の後面側に、前記遊技盤本体の厚さの不足分を補うことにより前記遊技盤本体を遊技盤取付枠に取着可能とするスペーサが、取り外し可能に取着され、
平面的または立体的に形成された装飾体が、前記装飾体の平面状部分を前記遊技盤本体と前記スペーサとの間に挟持させることにより、前記遊技盤本体の後面側に設けられていることを特徴とするパチンコ遊技機。
【請求項２】
前記スペーサが無色透明な合成樹脂で形成されていることを特徴とする請求項１記載のパチンコ遊技機。
【請求項３】
前記スペーサが前記遊技領域の後面側を避けるように配置されていることを特徴とする請求項１または２記載のパチンコ遊技機。
【請求項４】
前記遊技領域の後面側に、前記遊技盤本体の後方に設けられた背面装飾部材の装飾部分が配置されていることを特徴とする請求項３記載のパチンコ遊技機。
【請求項５】
前記装飾体が、合成樹脂製シートを立体的に形成したものであることを特徴とする請求項１、２、３または４記載のパチンコ遊技機。
【発明の詳細な説明】
【技術分野】
【０００１】
本発明は、透光性（光透過性）を有した合成樹脂製遊技盤を備えたパチンコ遊技機に関する。
【背景技術】
【０００２】
下記特許文献１に示す遊技機では、透明板（透明遊技盤）の背後に装飾シートを配置し、その装飾シートの背後に弾性板及び裏板を配置した４層構造とし、その４層を固定ボルト及び留具で締め付けることにより、装飾シートを透明板の後面に密着させることとして、装飾シートを交換可能としている。
【先行技術文献】
【特許文献】
【０００３】
【特許文献１】特開２００１−３１４５６８号公報
【発明の概要】
【発明が解決しようとする課題】
【０００４】
しかし、上記特許文献１の遊技機は、装飾シートを取着するための弾性板及び裏板という別部材を必要とするため、コスト高となってしまうという問題があった。
【０００５】
本発明は、上述した問題を解決するものであり、透光性（光透過性）を有した合成樹脂製遊技盤を備えたパチンコ遊技機において、低コストで装飾シート等の装飾体を遊技盤の後面側に設けることが可能なパチンコ遊技機を提供することを目的とする。
【課題を解決するための手段】
【０００６】
本発明のパチンコ遊技機は、遊技球が打ち込まれる遊技領域が前面に形成される遊技盤本体を備えたパチンコ遊技機において、前記遊技盤本体が、透光性を有する合成樹脂で形成されることにより前記遊技盤本体の後方を視認可能に構成され、前記遊技盤本体の後面側に、前記遊技盤本体の厚さの不足分を補うことにより前記遊技盤本体を遊技盤取付枠に取着可能とするスペーサが、取り外し可能に取着され、平面的または立体的に形成された装飾体が、前記装飾体の平面状部分を前記遊技盤本体と前記スペーサとの間に挟持させることにより、前記遊技盤本体の後面側に設けられていることを特徴とする。
【０００７】
本発明によれば、遊技盤本体の厚さの不足分を補うスペーサで、装飾体の平面状部分を挟持しているので、遊技盤本体の厚さを薄くしてコストを低減できるとともに、装飾体を取着するための別部材を設ける必要がないので、低コストで装飾体を遊技盤本体の後面側に設けることができる。
【０００８】
ここで、前記スペーサが無色透明な合成樹脂で形成されていることとすれば、遊技盤の前方から見たときに、スペーサが目立たず、見た目がよい。
【０００９】
また、前記スペーサが前記遊技領域の後面側を避けるように配置されていることとすれば、スペーサが遊技領域を介して見えることにより装飾性を損なってしまう虞れを低減できる。
【００１０】
そして、前記遊技領域の後面側に、前記遊技盤本体の後方に設けられた背面装飾部材の装飾部分が配置されていることとすれば、装飾体と背面装飾部材の装飾部分との組合せにより装飾効果を向上できる。
【００１１】
また、前記装飾体を、合成樹脂製シートを立体的に形成したものとすれば、かかる装飾体は安価に製造できるので、立体的な装飾体を有する遊技盤を低コストで提供可能である。
【発明の効果】
【００１２】
本発明によれば、低コストで装飾体を遊技盤本体の後面側に設けることができる。
【図面の簡単な説明】
【００１３】
【図１】本発明の一実施形態に係るパチンコ遊技機の正面図である。
【図２】同実施形態に係る遊技盤の遊技盤本体を透かして見える部分を破線表示した正面図である。
【図３】同実施形態に係る遊技盤の分解斜視図である。
【図４】同実施形態に係る印刷シートの正面図である。
【図５】同実施形態に係る印刷シートを密着させた状態の遊技盤本体の背面図である。
【図６】同実施形態に係る遊技盤の遊技盤本体を透かして見える部分を実線表示した正面図である。
【図７】図６のVII-VII線断面図である。
【図８】同実施形態に係る遊技盤の図７に対応する部分の斜視図である。
【図９】図６のIX-IX線断面図である。
【図１０】同実施形態に係る遊技盤の可動体が待機位置にあるときの部分正面図（ａ）、登場位置にあるときの部分正面図（ｂ）である。
【図１１】同実施形態に係る電気系統のブロック図である。
【図１２】同実施形態に係るタイマ割込処理のフローチャートである。
【図１３】同実施形態に係るコマンド受信処理のフローチャートである。
【図１４】同実施形態に係る演出選択処理のフローチャートである。
【図１５】同実施形態に係る変動演出終了中処理のフローチャートである。
【図１６】同実施形態に係る演出ボタン処理のフローチャートである。
【図１７】同実施形態に係るパチンコ遊技機において外枠に対して遊技盤取付枠を開放し、かつ、遊技盤取付枠に対して前面枠を開放した状態の概略斜視図である。
【図１８】本発明の他の実施形態に係る遊技盤の遊技盤本体を透かして見える部分を実線表示した正面図である。
【図１９】図１８の実施形態に係る遊技盤の分解斜視図である。
【図２０】図１８のXX-XX線断面図である。
【図２１】さらに他の実施形態に係る装飾体及びスペーサを取着した遊技盤本体の背面図である。
【発明を実施するための形態】
【００１４】
本発明の一実施形態に係るパチンコ遊技機について、図面に基づいて説明する。
【００１５】
図１及び図２に示すように、実施形態のパチンコ遊技機は、枠ランプ１７、スピーカ１８、及び、演出ボタン９０が配設された前面枠１０と、前面枠１０の後側に配置される遊技盤取付枠１０１（図１７参照）と、遊技盤取付枠１０１の内側に配設された遊技盤１とを備え、遊技盤１には、誘導レール５で囲まれて遊技球が打ち込まれる遊技領域２が形成されている。遊技領域２には、遊技盤本体７０に装着されて遊技盤本体７０の前面側に設けられる遊技盤面部材として、複数の遊技釘６、遊技用風車７、ゲート８の他、入賞口を構成する入賞口構成部材９が配設されている。入賞口としては、第１始動口５１、第２始動口５５、第１大入賞口４１、左右の第２大入賞口３１、３１、及び、普通入賞口６０ａ、６０ｂ、６０ｃ、６０ｄ（区別しないときは「普通入賞口６０」と表記する。）がある。また、遊技盤１には、図２に示すように、普通図柄表示器１３、第１特別図柄表示器１４ａ、第２特別図柄表示器１４ｂ、普通図柄保留ランプ１５、第１特別図柄保留ランプ１６ａ、及び、第２特別図柄保留ランプ１６ｂが配設されている。
【００１６】
遊技領域２の中央部にはセンター役物３が配設されている。センター役物３には第２大入賞装置３０が設けられ、第２大入賞装置３０内にはＶゾーンと称される特定領域３５が設けられている。上述した第２大入賞口３１、３１は、第２大入賞装置３０に設けられている。センター役物３の中央部には、画像表示器４の液晶画面４ａが配設されている。
【００１７】
図３に示すように、遊技盤１は、遊技盤本体７０、センター役物３、遊技領域形成部材７１、表示器配置部材７２、印刷シート７３、スペーサ（補助板部材）７４、背面装飾部材７６、第１始動入賞装置５０、第１大入賞装置４０、及び、第２始動入賞装置５２を備えている。遊技盤本体７０は、透光性を有する合成樹脂（本実施形態ではアクリル樹脂）により無色透明な略矩形の板状に形成され、遊技盤本体７０の後方を視認可能に構成されている。遊技盤本体７０の中央部には、センター役物３が配置される貫通孔７７がルーター加工により形成されている。また、第１始動入賞装置５０、第１大入賞装置４０、第２始動入賞装置５２、各普通入賞口６０、及び、ゲート８を配置するための各貫通孔も、ルーター加工により遊技盤本体７０に形成されている。また、遊技釘６を植設するための下穴７９（図７参照）が、遊技盤本体７０を貫通するように設けられている。遊技盤本体７０には、前面に誘導レール５が取着され、遊技領域２が形成されている。
【００１８】
遊技領域形成部材７１は、遊技盤本体７０の前面左側に取着されて、遊技領域２の範囲を決めるものであり、透明な部材とされている。なお、本明細書において、左右とは遊技盤１に向かって左右をいうものとする。表示器配置部材７２は、遊技盤本体７０の前面右上側に取着されて、遊技領域２の範囲を決めるとともに、上述した普通図柄表示器１３等の各種図柄表示器や保留ランプを、前方から目視可能に収納するものである。
【００１９】
第１始動入賞装置５０は、第１始動口５１を備えるものであり、遊技球の第１始動口５１への入賞を契機として、メイン制御基板２０（図１１参照）において大当たり抽選が行われ、その抽選結果が大当たりであれば、第１大入賞口４１を所定回数開閉する大当たり遊技が行われる。
【００２０】
第２始動入賞装置５２は、第２始動口５５を備えるものであり、遊技球の第２始動口５５への入賞を契機として、メイン制御基板２０において大当たり抽選が行われ、その抽選結果が大当たりであれば、第１大入賞口４１を所定回数開閉する大当たり遊技が行われ、小当たりであれば、第２大入賞口３１、３１を所定回数開閉する小当たり遊技が行われる。そして、小当たり遊技中にいずれかの第２大入賞口３１に入賞した遊技球が特定領域３５（図２参照）を通過すれば、第１大入賞口４１を所定回数開閉する大当たり遊技が行われる。第２始動入賞装置５２には、遊技領域２の範囲を決める遊技領域形成部材７８が取着されている。遊技領域形成部材７８は透明な部材とされている。
【００２１】
遊技盤本体７０の後面（背面）には、印刷シート（装飾体に相当。）７３が密着されている。印刷シート７３は、透光性を有する合成樹脂製シート（例えば、無色透明なポリカーボネート製シートまたはＰＥＴシート）に絵柄を印刷したものであり、厚さ約０．３mmで、前面に印刷が施されて、図４に示すように、それぞれ印刷により着色された第１の印刷部７３ａと第２の印刷部７３ｂと第３の印刷部７３ｃとを有している。第１の印刷部７３ａは、飛行機の絵柄が印刷された部分であり、透光性のない不透明部分とされ、第２の印刷部７３ｂは、爆発時の赤い光の絵柄が印刷された部分であり、第１の印刷部７３ａよりも透光性が高い半透明部分とされ、第３の印刷部７３ｃは、爆発時の橙色の光の絵柄が印刷された部分であり、第２の印刷部７３ｂよりも透光性が高い半透明部分とされている。なお、図４では、網掛けの色が濃い程、透光性が低いことを示している。また、印刷シート７３は、格子の絵柄が印刷された格子印刷部７３ｄ、及び、飛行機の絵柄が印刷された飛行機印刷部７３ｅを有し、格子印刷部７３ｄ及び飛行機印刷部７３ｅは、透光性のない不透明部分とされている。
【００２２】
また、遊技盤本体７０の貫通孔に対応して、印刷シート７３には貫通孔或いは切り欠きが設けられている。なお、印刷シート７３には、遊技釘用の下穴７９は穿孔されない。図５は印刷シート７３を後面に密着させた遊技盤本体７０の背面図であるが、印刷シート７３は、図５に示すように、遊技盤本体７０後面に密着された状態で貫通孔７７から遊技盤本体７０の外周縁７０ａまで延びる縁７５を有している。印刷シート７３の縁７５に沿った縁近傍部７５ｃは、縁７５の半分以上に亘って（本実施形態では、縁７５の全部に亘って）無色透明とされている。
【００２３】
また、図５の二点鎖線及び図３に示すように、印刷シート７３を挟んで、遊技盤本体７０の後面には、無色透明な合成樹脂製のスペーサ７４が、遊技盤本体７０に螺子止めされることにより、取り外し可能に取着される。スペーサ７４は、左上部スペーサ７４ａ、右上部スペーサ７４ｂ、左下部スペーサ７４ｃ、及び、右下部スペーサ７４ｄに分割され、左上部スペーサ７４ａ、右上部スペーサ７４ｂ、左下部スペーサ７４ｃ、及び、右下部スペーサ７４ｄで孔７４ｅを形成することにより、遊技領域２の後面側を避けるように、遊技盤本体７０の周辺部の後面側にのみ配置されている。なお、孔７４ｅは、遊技領域２に略対応した範囲に設けられている。印刷シート７３は、遊技盤本体７０と、左下部スペーサ７４ｃ及び右下部スペーサ７４ｄとにより、その端部（詳しくは、左右の端部及び下端部）を挟持されて、遊技盤本体７０に密着されることとなる（図７参照）。遊技盤本体７０は、既製のアクリル板を利用可能とするとともに、重量を抑制するために、従来のベニヤ板製遊技盤本体よりも厚みが薄くされている。スペーサ７４は、かかる遊技盤本体７０の厚さの不足分を補って、従来のベニヤ板製遊技盤本体と同等の厚さにして、図１７に示す遊技盤取付枠１０１に取付け可能とするためのものである。遊技盤取付枠１０１は、その内側に遊技盤１が取着されるものであり、図１７に示すように、遊技盤取付枠１０１及び前面枠１０は、外枠１０２の左端部に設けた蝶番１０３、１０４（図１参照）に取着されて、遊技盤取付枠１０１は外枠１０２に対して開閉自在とされ、前面枠１０は遊技盤取付枠１０２に対して開閉自在とされている。
【００２４】
スペーサ７４が取着された遊技盤本体７０の後方には、背面装飾部材７６が配置される。背面装飾部材７６は、中央部に画像表示器４の液晶画面４ａを配置するための貫通孔７６ａを有し、周辺部に格子状の装飾部（以下、「格子部」という。）７６ｂ、上部にロゴを表した装飾部（以下、「ロゴ部」という。）７６ｃを有している。格子部７６ｂは、複数の桟７６ｄ（図６参照）が放射状に配置されて、全体として略円環状をなし（但し、第１大入賞装置４０及び第２始動入賞装置５２が配置される部分は欠落している。）、内縁部から外縁部に行くに従って遊技盤本体７０に近付くように湾曲している。背面装飾部材７６の格子部７６ｂ及びロゴ部７６ｃからなる装飾部分は、孔７４ｅの部分、すなわち、遊技領域２の後面側に配置される。
【００２５】
図６は、遊技盤本体７０を透かして見える部分を実線表示した遊技盤１の正面図であるが、遊技盤本体７０は透明であるため、印刷シート７３に印刷された第１の印刷部７３ａ、第２の印刷部７３ｂ、第３の印刷部７３ｃ、格子印刷部７３ｄ等の絵柄は正面から目視可能である。また、背面装飾部材７６の格子部７６ｂ及びロゴ部７６ｃも、遊技盤本体７０を透かして、正面から目視可能である。ここで、印刷シート７３の格子印刷部７３ｄは、正面視において格子部７６ｂと連続して見えるような格子の絵柄とされている。このため、正面視において、格子印刷部７３ｄと格子部７６ｂとは連続して見える。しかも、格子部７６ｂの外縁部は、上述したように遊技盤本体７０の後面に接近しており、特に、正面視において格子印刷部７３ｄと連続して見える部分である、格子部７６ｂの左右の下部の外縁部７６ｅ、７６ｆは、格子印刷部７３ｄに近付くように遊技盤本体７０の後面に接近して配置されていることから、格子印刷部７３ｄは、正面視において、違和感なく、格子部７６ｂと連続して見えることとなる。
【００２６】
図７に示すように、各下穴７９には、遊技釘６が植設されている。また、図７及び図８に示すように、遊技釘６や、普通入賞口６０ｄを構成する入賞口構成部材９等の遊技盤面部材が、遊技盤本体７０の前面側に設けられ、その後方に第１の印刷部７３ａ、第２の印刷部７３ｂ、及び、第３の印刷部７３ｃからなる絵柄が配置され、その後方に背面装飾部材７６の格子部７６ｂが配置されている。すなわち、遊技盤面部材の後方に、透明な遊技盤本体７０を介して、絵柄が見え、その後方に格子部７６ｂが見えることとなる。
【００２７】
また、図７に示すように、第１の印刷部７３ａの後方には、印刷シート７３に向けて光を照射可能なＬＥＤからなる盤ランプ１９（発光部に相当。）が配置されている。盤ランプ１９は、不透明部分である第１の印刷部７３ａの後方に配置されているため、正面からは目視できない。
【００２８】
また、図９に示すように、遊技盤本体７０の後方には、演出用の可動役物装置１１が備える可動体１１ａが配置されている。可動体１１ａとは、遊技者に見せる部分であり、本実施形態では、パラシュートを模した形状とされている。可動体１１ａの待機位置は、印刷シート７３の飛行機印刷部７３ｅの後方とされ、可動役物装置１１は、可動体１１ａを、図９及び図１０（ａ）に示す待機位置から、図１０（ｂ）に示す登場位置まで移動させるように構成されている。可動体１１ａは、図１０（ａ）に示すように、待機位置では飛行機印刷部７３ｅと重なって、正面からは目視できないが、図１０（ｂ）に示すように、登場位置では飛行機印刷部７３ｅと重ならず、正面から目視可能となる。可動役物装置１１は、後述するように、演出制御基板２２（図１１参照）により、装飾図柄変動演出中に演出ボタン９０が押下され、しかも、その装飾図柄変動演出が大当たりを報知するものである場合にのみ、可動体１１ａを登場位置まで移動させるように制御される。
【００２９】
図１１に示すように、実施形態のパチンコ遊技機は、メイン制御基板（遊技制御基板）２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。
【００３０】
メイン制御基板２０には、第１始動入賞装置５０に設けられて第１始動口５１に入賞した遊技球を検出する第１始動口ＳＷ（スイッチ）５４ａ、第２始動入賞装置５２に設けられて第２始動口５５に入賞した遊技球を検出する第２始動口ＳＷ５４ｂ、第２始動口５５を開閉する電チューソレノイド５３、ゲート８内に設けられてゲート８を通過した遊技球を検出するゲートＳＷ８１、第１大入賞装置４０に設けられて第１大入賞口４１に入賞した遊技球を検出する第１大入賞口ＳＷ４４、第２大入賞装置３０に設けられて第２大入賞口３１、３１に入賞した遊技球を検出する第２大入賞口ＳＷ３４、３４、第１大入賞口４１を開閉する第１大入賞口ソレノイド４２、第２大入賞口３１、３１を開閉する第２大入賞口ソレノイド３２、特定領域３５に設けられて特定領域３５を通過した遊技球を検出する特定領域ＳＷ３６、各普通入賞口６０内にそれぞれ設けられてその普通入賞口６０に入賞した遊技球を検出する普通入賞口ＳＷ６１、第１特別図柄保留ランプ１６ａ、第２特別図柄保留ランプ１６ｂ、普通図柄保留ランプ１５、第１特別図柄表示器１４ａ、第２特別図柄表示器１４ｂ、普通図柄表示器１３がそれぞれ接続され、図２の矢印で示すように、各スイッチからはメイン制御基板２０に信号が入力され、各ソレノイドやランプ等にはメイン制御基板２０から信号が出力される。
【００３１】
そして、メイン制御基板２０は、第１始動口５１または第２始動口５５への遊技球の入賞を契機として大当たり抽選を行い、第１始動口５１への入賞であれば第１特別図柄表示器１４ａ、第２始動口５５への入賞であれば第２特別図柄表示器１４ｂにおいて、特別図柄の変動表示を経て大当たり抽選の結果に応じた特別図柄を停止表示する特別図柄変動を実行し、特別図柄が大当たりを示す図柄で停止した場合には、第１大入賞口４１を所定回数開放する大当たり遊技を、小当たりを示す図柄で停止した場合には第２大入賞口３１、３１を所定回数開放する小当たり遊技を実行する。
【００３２】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００３３】
さらに、メイン制御基板２０は、演出制御基板２２に対し各種コマンドを送信し、演出制御基板２２は、画像制御基板２３及びランプ制御基板２４との間でコマンドや信号の送受信を行う。演出制御基板２２には、演出ボタン９０が押下されたことを検出する演出ボタン検出ＳＷ９１が接続されている。画像制御基板２３には画像表示器４及びスピーカ１８が接続され、画像制御基板２３は、演出制御基板２２から受信したコマンドに従って、画像表示器４の液晶画面４ａに装飾図柄その他の画像を表示し、スピーカ１８から音声を出力する。ランプ制御基板２４には枠ランプ１７、盤ランプ１９、及び、可動役物装置１１が接続され、ランプ制御基板２４は、演出制御基板２２から受信したコマンドに従って、枠ランプ１７や盤ランプ１９を点灯・消灯し、可動役物装置１１を動作させる。
【００３４】
以上のように構成された実施形態のパチンコ遊技機の演出動作について、次に説明する。
【００３５】
［サブ側タイマ割込処理］演出制御基板２２は、図１２に示すようなサブ側タイマ割込処理を所定の短時間毎に繰り返す。サブ側タイマ割込処理では、後述するコマンド受信処理（S1201）及び演出ボタン処理（S1202）と、セットしたコマンドを画像制御基板２３やランプ制御基板２４に送信するコマンド送信処理（S1203）とを行う。
【００３６】
［コマンド受信処理］図１３に示すように、コマンド受信処理では、演出制御基板２２は、メイン制御基板２０から変動開始コマンドを受信していれば後述する演出選択処理を行い（S1301,S1302）、変動停止コマンドを受信していれば後述する変動演出終了中処理を行う（S1303,1304）。そして、演出制御基板２２は、オープニングコマンドを受信していれば、オープニングコマンドを解析して、当たり演出パターンを選択し、オープニング演出開始コマンドをセットする当たり演出選択処理を行い（S1305,1306）、エンディングコマンドを受信していれば、エンディングコマンドを解析し、モードフラグを参照してエンディング演出パターンを選択し、エンディング演出開始コマンドをセットするエンディング演出選択処理を行う（S1307,1308）。
【００３７】
［演出選択処理］図１４に示すように、演出選択処理では、演出制御基板２２は、メイン制御基板２０から受信した変動開始コマンドを解析する（S1401）。変動開始コマンドには、現在の遊技状態を示す情報、大当たり抽選において選択された特別図柄及び変動パターンを示す情報が含まれている。次に、演出制御基板２２は、演出モードを示すモードフラグを参照して（S1402）、装飾図柄変動演出のパターンを選択する変動演出パターン選択処理を行う（S1403）。装飾図柄変動演出とは、数字等の装飾図柄と装飾図柄以外の画像とからなり、変動表示を経て停止表示された装飾図柄により大当たり抽選の結果を報知する演出である。また、演出モードとは、画像表示器４における演出の態様であり、演出モードが異なると、登場するキャラクタや背景が異なる等、画像表示器４に表示される動画が異なり、装飾図柄変動演出も演出モードに応じたものが選択される。また、演出制御基板２２は、盤ランプ１９の点灯パターンを選択する盤ランプ演出パターン選択処理（S1404）を行う。盤ランプ１９の点灯パターンとしては、例えば、装飾図柄が大当たりを示す図柄で停止するときは盤ランプ１９を所定回数点滅させた後に連続して点灯させ、ハズレを示す図柄で停止するときは盤ランプ１９を所定回数点滅させた後に消灯するパターン等がある。そして、演出制御基板２２は、装飾図柄変動演出を開始するための変動演出開始コマンドをセットするとともに（S1405）、盤ランプ演出（選択した点灯パターンに従って盤ランプ１９を点灯させる演出）を行うための盤ランプ演出開始コマンドをセットする（S1406）。
【００３８】
［変動演出終了中処理］図１５に示すように、変動演出終了中処理では、演出制御基板２２は、変動停止コマンドを解析し（S1501）、モードフラグを参照する（S1502）。次に、今終了しようとする装飾図柄変動演出が当たり（大当たりまたは小当たり）を報知するものか否かを判定して（S1503）、当たりを報知するものであればモードフラグ変更処理を行う（S1508）。モードフラグ変更処理では、その当たりの種類に応じた演出モードを示すものにモードフラグを変更するとともに、変更後の演出モードが通常モードでない場合には、その演出モードに対応するカウンタの値Ｍに上限回数をセットする。
【００３９】
一方、演出制御基板２２は、今終了しようとする装飾図柄変動演出が当たりを報知するものでなければ（S1503でNO）、モードフラグが０か否かを判定し（S1504）、０であればステップS1509に進む。なお、モードフラグが０とは通常モードであることを示し、初期状態では（即ち、電源が投入されて最初の遊技が開始されるときは）モードフラグは０である。一方、モードフラグが０でなければ、現在の演出モード用のカウンタの値Ｍを１減少させて（S1505）、その値Ｍが０にならなければ（S1506でNO）、ステップS1509に進むが、０になれば（S1506でYES）、通常モードに戻すためにモードフラグを０として（S1507）、ステップS1509に進む。ステップS1509では、演出制御基板２２は、装飾図柄変動演出を終了させるための変動演出終了コマンドをセットする。そして、演出制御基板２２は、盤ランプ演出を終了させるための盤ランプ演出終了コマンドをセットする（S1510）。
【００４０】
［演出ボタン処理］図１６に示すように、演出ボタン処理では、演出制御基板２２は、演出ボタン検出ＳＷ９１からの信号により、演出ボタン９０が押下されたか（ONされたか）否かを判定し（S1601）、ONされていなければ処理を終え、ONされていれば装飾図柄変動演出中か否かを判定する（S1602）。そして、装飾図柄変動演出中でなければ処理を終え、装飾図柄変動演出中であれば、その装飾図柄変動演出が大当たりを報知するものであるか否かを判定する（S1603）。そして、大当たりを報知するものでなければ処理を終え、大当たりを報知するものであれば、可動役物装置１１を作動させるための可動役物作動コマンドをセットして処理を終える（S1604）。
【００４１】
可動役物作動コマンドは、上述したコマンド送信処理（S1203）によりランプ制御基板２４に出力される。可動役物作動コマンドを受信したランプ制御基板２４は、可動役物装置１１に、可動体１１ａを登場位置まで移動して所定時間経過後待機位置に戻す動作を実行させる。
【００４２】
以上のように動作することにより、実施形態のパチンコ遊技機では、装飾図柄変動演出に並行して盤ランプ演出が行われ、盤ランプ１９が点灯し、印刷シート７３に向けて光が照射される。また、装飾図柄変動演出中に演出ボタン９０が押下された場合、その装飾図柄変動演出が大当たりを報知するものであれば、可動役物装置１１が作動して可動体１１ａが飛行機印刷部７３ｅと重ならない位置に移動する。
【００４３】
上述したように、実施形態のパチンコ遊技機では、透光性を有する合成樹脂で形成されることにより後方を視認可能に構成された遊技盤本体７０の後面側に、遊技盤本体７０の厚さの不足分を補うことにより遊技盤本体７０を遊技盤取付枠１０１に取着可能とするスペーサ７４が、取り外し可能に取着されている。そして、印刷シート７３（平面的に形成された装飾体に相当。）が、その端部（装飾体の平面状部分に相当。）を遊技盤本体７０とスペーサ７４との間に挟持させることにより、遊技盤本体７０の後面側に設けられている。
【００４４】
したがって、スペーサ７４を取り外せば印刷シート７３を交換できて、印刷シート７３の交換が容易である。のみならず、遊技盤本体７０の厚さの不足分を補うスペーサ７４を印刷シート７３の取着に用いているので、遊技盤本体７０の厚さを薄くしてコストを低減できるとともに、印刷シート７３を取着するための別部材を設ける必要がないので、低コストで印刷シート７３を遊技盤本体７０の後面側に設けることができる。
【００４５】
また、スペーサ７４が無色透明な合成樹脂で形成されているので、遊技盤１の前方から見たときに、スペーサ７４が目立たず、見た目がよい。
【００４６】
また、スペーサ７４は、遊技領域２の後面側を避けるように、遊技盤本体７０の周辺部の後面側にのみ配置されているので、遊技盤全体の重量を抑制できるとともに、スペーサ７４が遊技領域２を介して見えることにより装飾性を損なってしまう虞れを低減できる。
【００４７】
さらに、スペーサ７４が配置されていない遊技盤本体７０の中央部（本実施形態では遊技領域２に相当する部分）の後面側には、背面装飾部材７６の格子部７６ｂ及びロゴ部７６ｃが配置されているので、印刷シート７３と格子部７６ｂ及びロゴ部７６ｃとの組合せにより、装飾効果を向上できる。
【００４８】
次に、立体的に形成された装飾体を用いる他の実施形態について説明する。以下の説明において、上述した実施形態の構成要素に対応する構成要素については、同じ符号を用いて、その説明を省略する。図１８及び図１９に示すように、他の実施形態に係るパチンコ遊技機は、印刷シート７３の代わりに、合成樹脂製シートを立体的に形成した装飾体７３Ｂを用いる以外は、上述した実施形態と同様に構成されている。装飾体７３Ｂは、透光性を有する合成樹脂製シート（例えば、無色透明なポリカーボネート製シートまたはＰＥＴシート）を真空成形により立体的に形成したものであり、顔を模した立体部７３ｆを有し、左右の端部及び下端部は平面状とされている。なお、立体部７３ｆは印刷により着色されている。
【００４９】
そして、装飾体７３Ｂは、左右の端部及び下端部の平面状部分を、遊技盤本体７０とスペーサ７４の左下部スペーサ７４ｃ及び右下部スペーサ７４ｄとの間に挟持させることにより、図２０に示すように、遊技盤本体７０の後面側に設けられている。したがって、図１８に示すように、遊技盤本体７０を透かして立体部７３ｆが目視されるため、装飾効果を高めることができる。また、装飾体７３Ｂは、合成樹脂製シートを立体的に形成したものであり、安価に製造できるので、立体的な装飾体７３Ｂを有する遊技盤１を低コストで提供可能である。なお、立体成形の方法としては、真空成形の他に、射出成形等、適宜の方法を用いることができる。
【００５０】
なお、装飾体７３Ｂの平面状の部分に、印刷により着色された印刷部を設けてもよい。そうすれば、立体的な装飾と平面的な装飾を同時に実現できる。
【００５１】
また、スペーサ７４の形状は、上述したものに限らず、例えば図２１の網掛け部分に示すような長尺状の右スペーサ７４ｆ、７４ｇからなるものとして、遊技盤本体７０の左右の側部に沿って取着し、印刷シート７３または装飾体７３Ｂの左右の端部を、遊技盤本体７０とスペーサ７４ｆ、７４ｇとの間に挟持するようにしてもよい。
【００５２】
また、上記実施形態では、いずれも、スペーサ７４を遊技領域２の後面側を避けるように設けたが、スペーサ７４を遊技領域２の後面側に掛かるように設けることもできる。但し、遊技盤１全体の重量の抑制のためには、少なくとも貫通孔７７に対応する範囲よりも広い範囲を避けて設けることが好ましい。また、スペーサ７４を無色透明とせず有色としたり、スペーサ７４に凹凸で模様を付したりして、スペーサ７４自体も装飾として用いることとしてもよい。
【００５３】
また、上記実施形態では、いずれも、印刷シート７３や装飾体７３Ｂを、遊技盤本体１の後面側の略下半分に設けたが、遊技盤本体１の後面側全部（但し、貫通孔７７等の貫通孔が形成されている部分を除く。）に及ぶように設けてもよい。
【符号の説明】
【００５４】
１…遊技盤
２…遊技領域
７０…遊技盤本体
７３…印刷シート（装飾体）
７３Ｂ…装飾体
７４…スペーサ
７６…背面装飾部材
７６ｂ…格子部
７６ｃ…ロゴ部
１０１…遊技盤取付枠
【図１】
2011087622.tif 000003
【図２】
2011087622.tif 000004
【図３】
2011087622.tif 000005
【図４】
2011087622.tif 000006
【図５】
2011087622.tif 000007
【図６】
2011087622.tif 000008
【図７】
2011087622.tif 000009
【図８】
2011087622.tif 000010
【図９】
2011087622.tif 000011
【図１０】
2011087622.tif 000012
【図１１】
2011087622.tif 000013
【図１２】
2011087622.tif 000014
【図１３】
2011087622.tif 000015
【図１４】
2011087622.tif 000016
【図１５】
2011087622.tif 000017
【図１６】
2011087622.tif 000018
【図１７】
2011087622.tif 000019
【図１８】
2011087622.tif 000020
【図１９】
2011087622.tif 000021
【図２０】
2011087622.tif 000022
【図２１】
2011087622.tif 000023